(57)【特許請求の範囲】
【請求項１】
第一の表示装置と、第二の表示装置とを含む選択肢情報の提示システムにおいて、
前記第一の表示装置に、選択操作を受け付け可能な状態の複数の選択肢情報を表示させるとともに、選択操作が検出されていない期間の所定のタイミングで、表示対象となっている少なくとも１以上の選択肢情報の表示位置を、表示領域内で隣り合う選択肢情報の組み合わせが上下方向または左右方向の少なくともいずれかで異なる組み合わせとなるように変更させて表示させ、
前記第一の表示装置で表示された前記複数の選択肢情報のいずれかに対する選択操作を受け付けると、選択操作を受け付けた該選択肢情報を、前記第二の表示装置に表示させる
選択肢情報の提示システム。
【請求項２】
前記複数の選択肢情報の各々を、前記表示領域内で上下方向または左右方向に移動させつつ、前記所定のタイミングで、前記少なくとも１以上の選択肢情報について、移動している方向の逆方向または交差する方向へ移動させる請求項１記載の選択肢情報の提示システム。
【請求項３】
前記複数の選択肢情報の各々を、前記表示領域内で上下方向または左右方向に移動させつつ、前記所定のタイミングで、前記少なくとも１以上の選択肢情報について、前記上下方向または左右方向への移動を停止させる請求項１記載の選択肢情報の提示システム。
【請求項４】
前記複数の選択肢情報のうち、表示位置が所定の位置となった選択肢情報を、前記少なくとも１以上の選択肢情報とする請求項２または請求項３記載の選択肢情報の提示システム。
【請求項５】
前記複数の選択肢情報のうち、過去に選択操作により選択された履歴、選択操作を行うユーザの属性、及び該選択肢情報の属性の少なくとも１つに基づいて決定された選択肢情報、またはランダムに決定された選択肢情報を、前記少なくとも１以上の選択肢情報とする請求項１〜請求項４のいずれか１項記載の選択肢情報の提示システム。
【請求項６】
前記選択肢情報には、複数のカテゴリの各々に関する属性が付与されており、
前記所定のタイミング毎に、前記複数のカテゴリから決定されたいずれかのカテゴリに関して同一の属性が付与されている選択肢情報同士が、上下方向または左右方向に隣り合せて表示されるように、前記少なくとも１以上の選択肢情報の表示位置を変更する
請求項１〜請求項５のいずれか１項記載の選択肢情報の提示システム。
【請求項７】
前記所定のタイミングは、選択操作が検出されなくなってから所定時間経過したタイミング、前記選択操作が検出されていない期間での周期的なタイミング、または前記選択操作が検出されていない期間でのランダムなタイミングである請求項１〜請求項６のいずれか１項記載の選択肢情報の提示システム。
【請求項８】
前記選択肢情報の表示位置を変更する際には、元の表示位置から新たな表示位置へ、カードが移動するアニメーション表示を行う請求項１〜請求項７のいずれか１項記載の選択肢情報の提示システム。
【請求項９】
第一の表示装置と、第二の表示装置と、制御装置とを含む選択肢情報の提示システムにおける選択肢情報の提示方法であって、
前記制御装置が、
前記第一の表示装置に、選択操作を受け付け可能な状態の複数の選択肢情報を表示させるとともに、選択操作が検出されていない期間の所定のタイミングで、表示対象となっている少なくとも１以上の選択肢情報の表示位置を、表示領域内で隣り合う選択肢情報の組み合わせが上下方向または左右方向の少なくともいずれかで異なる組み合わせとなるように変更させて表示させ、
前記第一の表示装置で表示された前記複数の選択肢情報のいずれかに対する選択操作を受け付けると、選択操作を受け付けた該選択肢情報を、前記第二の表示装置に表示させる
ことを含む処理を実行する選択肢情報の提示方法。
【請求項１０】
第一の表示装置と、第二の表示装置と、制御装置とを含む選択肢情報の提示システムにおける選択肢情報の提示プログラムであって、
前記制御装置が、
前記第一の表示装置に、選択操作を受け付け可能な状態の複数の選択肢情報を表示させるとともに、選択操作が検出されていない期間の所定のタイミングで、表示対象となっている少なくとも１以上の選択肢情報の表示位置を、表示領域内で隣り合う選択肢情報の組み合わせが上下方向または左右方向の少なくともいずれかで異なる組み合わせとなるように変更させて表示させ、
前記第一の表示装置で表示された前記複数の選択肢情報のいずれかに対する選択操作を受け付けると、選択操作を受け付けた該選択肢情報を、前記第二の表示装置に表示させる
ことを含む処理を実行する選択肢情報の提示プログラム。
【発明の詳細な説明】
【技術分野】
【０００１】
本発明は、選択肢情報の提示システム、選択肢情報の提示方法、及び選択肢情報の提示プログラムに関する。
【背景技術】
【０００２】
一般に、製品やサービスの企画及び開発においては、ユーザの生の声からユーザが何を要望しているかを如何にして早く正確に抽出するかが重要となる。このような背景から、現在、製品又はサービスに対するユーザの要望を抽出し、ユーザが満足する製品又はサービスを速やかに市場に提供するために、アンケートやインタビュー等により、ユーザの要望に対する様々な調査が積極的に行なわれている。そこで、ユーザの要望の抽出を支援する技術が提案されている。
【０００３】
例えば、入力された要望情報を解析し、解析された要望情報に基づいて、記憶装置に予め記憶された、要望情報に内包されるユーザの対象製品に対する潜在的利益の達成度を定量的に測定する尺度である評価指標に対して重み付けする技術が提案されている。この技術では、重み付けされた複数の評価指標から最も重み付けされた１つまたは複数の評価指標を選択し、選択された評価指標を最大化または最小化する１つまたは複数の製品の設計コンセプトを決定する。
【０００４】
また、文書および文書に付与する商品またはサービスに関連する付加情報である場面情報を入力し、入力された文書を形態素解析に基づいて解析する技術が提案されている。この技術では、文書を、場面情報に基づき所定の変換ルールに従って、ユーザが商品またはサービスに対して求める商品またはサービスの状態を示す要求表現に変換し、文書および要求表現を対応付けて表示する。
【先行技術文献】
【特許文献】
【０００５】
【特許文献１】特開２００２−１０８９４６号公報
【特許文献２】特開２００１−０６０１９４号公報
【発明の概要】
【発明が解決しようとする課題】
【０００６】
ユーザの要望を抽出し、要望に応じた製品やサービスを提供する際に、断片的なユーザの要望しか抽出できていない場合には、ユーザの要望を部分的に満たす製品やサービスの提供しか行うことができない。したがって、提供される製品やサービスにとらわれることなく、ユーザが自由な発想で描いた将来のビジョンやコンセプトなど、要望の全体像を抽出することが重要である。ただし、このようなビジョンやコンセプトを厳密に抽出する作業は、時間やコストをかけたコンサルティングが必要となる。
【０００７】
そこで、ユーザの要望の抽出に役立つ様々な選択肢を、キーワードやイラストなどで表してユーザに提示し、ユーザ自身に自分の要望にあう内容の選択肢を選ばせる。そして、製品やサービスの提供者は、ユーザにより選ばれた選択肢を検討材料として、ユーザの要望を推測し、ユーザの要望に沿った製品やサービスを提供する手法が考えられる。この手法において、ユーザの要望を十分に反映可能にするためには、様々な選択肢が、ユーザに適切に提示されることが重要である。
【０００８】
本発明は、一つの側面として、ユーザが様々な選択肢の存在に気付くことができるように、複数の選択肢を提示することを目的とする。
【課題を解決するための手段】
【０００９】
本発明は、一つの側面として、第一の表示装置と、第二の表示装置とを含む選択肢情報の提示システムにおいて、前記第一の表示装置に、選択操作を受け付け可能な状態の複数の選択肢情報を表示させる。また、選択操作が検出されていない期間の所定のタイミングで、表示対象となっている少なくとも１以上の選択肢情報の表示位置を変更させて表示させる。選択肢情報の表示位置は、表示領域内で隣り合う選択肢情報の組み合わせが上下方向または左右方向の少なくともいずれかで異なる組み合わせとなるように変更する。そして、前記第一の表示装置で表示された前記複数の選択肢情報のいずれかに対する選択操作を受け付けると、選択操作を受け付けた該選択肢情報を、前記第二の表示装置に表示させる。
【発明の効果】
【００１０】
一つの側面として、ユーザが様々な選択肢の存在に気付くことができるように、複数の選択肢を提示することができる、という効果を有する。
【図面の簡単な説明】
【００１１】
【図１】第１〜第３実施形態に係る選択肢情報の提示システムの概略構成を示すブロック図である。
【図２】選択肢カードの一例を示す図である。
【図３】選択肢情報の提示システムの概略を説明するための図である。
【図４】背景の軸の他の例を示す図である。
【図５】背景の軸の他の例を示す図である。
【図６】管理サーバの概略構成を示す機能ブロック図である。
【図７】第１実施形態におけるカードデータベース（ＤＢ）の一例を示す図である。
【図８】第１実施形態におけるカード表示位置ＤＢの一例を示す図である。
【図９】背景ＤＢの一例を示す図である。
【図１０】ビジョンＤＢの一例を示す図である。
【図１１】第１制御装置の概略構成を示す機能ブロック図である。
【図１２】第２制御装置の概略構成を示す機能ブロック図である。
【図１３】管理サーバとして機能するコンピュータの概略構成を示すブロック図である。
【図１４】第１制御装置として機能するコンピュータの概略構成を示すブロック図である。
【図１５】第２制御装置として機能するコンピュータの概略構成を示すブロック図である。
【図１６】第１管理処理の一例を示すフローチャートである。
【図１７】第２管理処理の一例を示すフローチャートである。
【図１８】第１制御処理の一例を示すフローチャートである。
【図１９】選択肢カードの選択を説明するための図である。
【図２０】選択肢カードの拡大表示を説明するための図である。
【図２１】選択肢カードの表示位置の変更を説明するための図である。
【図２２】選択肢カードの表示位置の変更を説明するための図である。
【図２３】第２制御処理の一例を示すフローチャートである。
【図２４】各装置間での情報のやり取りを示すシーケンス図である。
【図２５】選択肢カードの移動を説明するための図である。
【図２６】第２実施形態におけるカード表示位置ＤＢの一例を示す図である。
【図２７】第３実施形態におけるカードＤＢの一例を示す図である。
【図２８】カテゴリの属性を用いた選択肢カードの表示位置の変更を説明するための図である。
【発明を実施するための形態】
【００１２】
以下、図面を参照して本発明に係る実施形態の一例を詳細に説明する。以下の各実施形態では、ＩＣＴ（Information and Communication Technology）を活用し、社内外の問題を解決しようとするユーザ（企業）の要望を抽出する場合を例に説明する。
【００１３】
＜第１実施形態＞
図１に示すように、第１実施形態に係る選択肢情報の提示システム１００は、管理サーバ１１０と、第１制御装置１２０と、第１表示装置１３０と、第２制御装置１４０と、第２表示装置１５０と、スキャナ１６０と、プリンタ１７０とを含む。管理サーバ１１０、第１制御装置１２０、第２制御装置１４０、スキャナ１６０、及びプリンタ１７０の各々は、ハブ１８０に接続されている。各装置とハブとの接続は、有線であっても無線であってもよい。また、第１制御装置１２０と第１表示装置１３０とは接続されており、第２制御装置１４０と第２表示装置１５０とは接続されている。これらの接続も、有線であっても無線であってもよい。
【００１４】
管理サーバ１１０は、一般的なサーバ装置、パーソナルコンピュータ等の情報処理装置である。管理サーバ１１０は、選択肢情報の提示システム１００で用いられる各種情報を管理すると共に、第１制御装置１２０、第２制御装置１４０、スキャナ１６０、及びプリンタ１７０の各々に対し、各種処理の実行を指示する。
【００１５】
第１表示装置１３０は、複数の選択肢カード（詳細は後述）が表示される表示部と、表示された選択肢カードに対するユーザの操作を受け付ける操作部とを含む。第１表示装置１３０は、例えば、タッチパネルディスプレイで実現することができる。
【００１６】
第１制御装置１２０は、第１表示装置１３０の表示制御、第１表示装置１３０を介して受け付けた情報の処理、及び管理サーバ１１０との通信を制御する。
【００１７】
第２表示装置１５０は、ユーザの要望を選択肢カードを用いて表したビジョン（詳細は後述）が表示される表示部と、表示された選択肢カードに対するユーザの操作を受け付ける操作部とを含む。第２表示装置１５０は、例えば、タッチパネルディスプレイで実現することができる。
【００１８】
第２制御装置１４０は、第２表示装置１５０の表示制御、第２表示装置１５０を介して受け付けた情報の処理、及び管理サーバ１１０との通信を制御する。
【００１９】
ここで、選択肢カード及びビジョンについて説明する。
【００２０】
選択肢カードは、ユーザの要望を抽出するための様々な選択肢の各々を、キーワードと、写真やイラストなどの画像とを用いて、電子的な１枚のカードで表したものである。図２に、選択肢カード１０の一例を示す。図２の例では、選択肢カード１０には、その選択肢カード１０が表す選択肢を示すキーワード１０Ｐと、イラスト１０Ｑとが含まれる。選択肢カード１０として表す選択肢には、様々な内容を採用することができ、例えば、施設に関するもの、働き方に関するもの、ＩＣＴを利用できそうなもの、ＩＣＴとは関係ないもの等を含むことができる。選択肢カードは、キーワード１０Ｐのみ、またはイラスト１０Ｑのみを含むものであっても構わない。
【００２１】
選択肢カード１０は、選択肢の数だけ用意され、図３に示すように、複数の選択肢カード１０が、ユーザによる選択操作を含む操作を受付可能な状態で、第１表示装置１３０に表示される。ユーザは、第１表示装置１３０に表示された複数の選択肢カード１０を見て、自身の要望に関連する選択肢カード１０を選択する。
【００２２】
第２表示装置１５０には、ユーザの要望を選択肢カード１０を用いて表したビジョンが表示される。ビジョンは、ユーザの要望に応じて選択された背景１２を含む。背景１２は、タイトルが入力される領域１２Ａ、及び時間経過等を表す軸１２Ｂを含む。図３の例では、軸１２Ｂの一例として、現在から将来へ向かう時間軸が用いられている。軸１２Ｂは、図３の例に示すように、長期の時間軸を示すものに限定されず、「朝」、「昼」、「夜」のような１日の時間軸を示すものであってもよい。また、軸１２Ｂは、時間経過を表すものに限定されず、例えば、図４に示すように、「自社」、「関係会社」、「社会」のような役割の異なりを表すものであってもよい。また、図５に示すように、軸１２Ｂは、「研究」、「開発」、「製造」、「販売」のような業務の異なりを表すものであってもよい。その他にも、「オフィス内」、「別オフィス」、「社外」のように、場所の異なりを表す軸１２Ｂを用いてもよい。
【００２３】
また、ビジョンへは、手書きツールを使用して描画を行うことも可能である。
【００２４】
このように、第２表示装置１５０に表示された背景１２上に、第１表示装置１３０で選択された選択肢カード１０が表示される。ユーザは、軸１２Ｂを考慮して、表示された選択肢カード１０を、適切な位置に配置する。このように、軸１２Ｂを含む背景１２上に選択肢カード１０が配置されることにより、ユーザの要望を表すビジョンが描かれる。
【００２５】
以下、選択肢情報の提示システム１００の各装置について詳述する。
【００２６】
図６に示すように、管理サーバ１１０は、機能部として、管理部１１１と、転送部１１２と、変更部１１３とを含む。また、管理サーバ１１０の所定の記憶領域には、カードデータベース（ＤＢ）１１６と、カード表示位置ＤＢ１１７と、背景ＤＢ１１８と、ビジョンＤＢ１１９とが記憶される。
【００２７】
カードＤＢ１１６には、選択肢カード１０毎のカード情報が記憶される。図７に、カードＤＢ１１６の一例を示す。図７の例では、各行が１枚の選択肢カード１０についてのカード情報に相当する。各カード情報は、選択肢カード１０の識別情報である「カードＩＤ」、選択肢カード１０に表示される「キーワード」、選択肢カード１０に表示される写真やイラストなどの「画像データ」等の情報を含む。
【００２８】
カード表示位置ＤＢ１１７には、複数の選択肢カード１０の各々を第１表示装置１３０に表示する際の各選択肢カード１０の表示位置が記憶される。図８に、カード表示位置ＤＢ１１７の一例を示す。図８の例では、各選択肢カード１０のカードＩＤと、その選択肢カード１０の第１表示装置１３０上での表示位置とが対応付けて記憶されている。例えば、第１表示装置１３０の表示領域の左上角を原点とし、右方向がｘ軸プラスの方向、下方向がｙ軸プラスの方向となるｘｙ座標系を設定する。そして、選択肢カード１０の所定箇所（例えば、左上角）の表示位置を、第１表示装置１３０の表示領域に設定したｘｙ座標系の座標値を用いて表す。
【００２９】
背景ＤＢ１１８には、第２表示装置１５０に表示する背景１２の各々の情報が記憶される。図９に、背景ＤＢ１１８の一例を示す。図９の例では、各行が１つの背景１２についての背景情報に相当する。各背景情報は、背景１２の識別情報である「背景ＩＤ」、軸１２Ｂを含む背景１２の「画像データ」等の情報を含む。
【００３０】
ビジョンＤＢ１１９には、第２表示装置１５０において、ユーザにより作成されたビジョンの情報が記憶される。図１０に、ビジョンＤＢ１１９の一例を示す。図１０の例では、各行が１つのビジョンを示すビジョン情報に相当する。各ビジョン情報は、ビジョンの識別情報である「ビジョンＩＤ」、ビジョンを作成したユーザの識別情報である「ユーザＩＤ」、及び第２表示装置１５０に表示されている背景１２の「背景ＩＤ」の情報を含む。また、ビジョン情報は、選択された選択肢カード１０の「カードＩＤ」、選択肢カード１０が背景１２上のどの位置に表示されたかを示す「表示位置」等の情報を含む。「表示位置」は、上述した第１表示装置１３０上に表示される選択肢カード１０の表示位置と同様に、第２表示装置１５０に表示された背景１２領域に設定されたｘｙ座標系の座標値を用いて表すことができる。ビジョン情報は、さらに、テキストデータとして入力された「タイトル」、手書きツールを使用して描画された画像を示す「手書きデータ」等の情報を含む。なお、タイトルについても、手書きデータとして入力することも可能である。提示システム１００は、第２表示装置１５０を介してユーザにより操作された、複数の選択肢カード１０の情報を含むビジョンのデータに対する記憶指示を受け付けると、新たにビジョンＩＤを付与して記憶する。従って、第１のユーザが、異なる背景ＩＤを用いて、複数種類のビジョン情報を作成すれば、第１のユーザのユーザＩＤと対応づけて、複数のビジョンＩＤが記憶されることになる。ビジョンＤＢ１１９には、図１０に例示した以外のデータ項目をビジョンＩＤと対応づけて記憶してもよい。例えば、ビジョンが記憶された日時を示す情報を記憶してもよい。
【００３１】
管理部１１１は、選択肢情報の提示システム１００により提供されるサービスの開始が指示されると、カードＤＢ１１６から各選択肢カード１０のカード情報を取得し、カード表示位置ＤＢ１１７から各選択肢カード１０のカード表示位置情報を取得する。管理部１１１は、取得したカード情報及びカード表示位置情報を第１制御装置１２０へ送信する。また、管理部１１１は、背景ＤＢ１１８からいずれかの背景情報を取得し、第２制御装置１４０へ送信する。第２制御装置１４０へ送信する背景情報は、予め定めた背景情報であってもよいし、ランダムに選択した背景情報であってもよいし、ユーザにより選択された背景情報であってもよい。
【００３２】
また、管理部１１１は、第２制御装置１４０から送信されたビジョン情報を受信すると、受信したビジョン情報にビジョンＩＤを付与して、ビジョンＤＢ１１９に記憶する。
【００３３】
転送部１１２は、第１制御装置１２０から、第１表示装置１３０に表示された選択肢カード１０から選択された選択肢カード１０の情報を示す選択情報を受信する。転送部１１２は、受信した選択情報が示す選択肢カード１０のカード情報を、第２制御装置１４０へ転送する。
【００３４】
変更部１１３は、第１表示装置１３０に表示された選択肢カード１０に対してユーザにより行われた操作を示す操作情報を、第１制御装置１２０から受信する。なお、上述の選択情報は、操作情報の１つである。変更部１１３は、操作情報の受信状況に基づいて、選択肢カード１０に対するユーザの操作が検出されなくなってから所定期間が経過したか否かを判定する。変更部１１３は、所定期間が経過した場合には、複数の選択肢カード１０から、少なくとも１つの選択肢カード１０をランダムに決定する。そして、変更部１１３は、決定した選択肢カード１０の表示位置を、表示領域内で隣り合う選択肢カード１０の組み合わせが上下方向又は左右方向の少なくともいずれかで異なる組み合わせとなるように変更する。変更部１１３は、カード表示位置ＤＢ１１７に記憶されたカード表示位置情報のうち、表示位置を変更した選択肢カード１０のカード表示位置情報を更新し、更新後のカード表示位置情報を第１制御装置１２０へ送信する。
【００３５】
図１１に示すように、第１制御装置１２０は、機能部として、表示制御部１２１と、検出部１２２とを含む。
【００３６】
表示制御部１２１は、管理サーバ１１０から送信されたカード情報及びカード表示位置情報を受信し、カード情報が示す選択肢カード１０の各々が、カード表示位置情報が示す表示位置に表示されるように、第１表示装置１３０を制御する。また、表示制御部１２１は、管理サーバ１１０から、カード表示位置情報のみを受信した場合には、第１表示装置１３０に表示している選択肢カード１０の表示位置を、受信したカード表示位置情報に基づいて変更する。なお、各選択肢カード１０の表示サイズは、予め定めたサイズとしてもよいし、第１表示装置１３０に所定枚数の選択肢カード１０が表示されるように計算されたサイズとしてもよい。
【００３７】
また、表示制御部１２１は、検出部１２２から、選択肢カード１０の拡大表示が指示された場合に、指定された選択肢カード１０の表示サイズを拡大する。例えば、拡大表示が指示される毎に、上下及び左右に予め定めた画素数ずつ拡大してもよいし、現在の表示サイズの所定倍（例えば、１．１倍）ずつ拡大してもよい。また、表示制御部１２１は、指定された選択肢カード１０の拡大表示に伴い、拡大表示している選択肢カード１０の周辺の選択肢カード１０の表示位置を、拡大表示している選択肢カード１０を回避する位置に移動させる。周辺の選択肢カード１０の移動後の位置の決定には、従来既知の画像の最適配置技術等を利用することができる。なお、周辺の選択肢カード１０を回避する位置に移動する場合に限定されず、拡大表示している選択肢カード１０を、周辺の選択肢カード１０の上に重畳表示するようにしてもよい。表示制御部１２１は、検出部１２２から拡大表示の終了を指示されると、拡大表示中の選択肢カード１０を元の表示サイズに戻すと共に、周辺の選択肢カード１０の表示位置も元の位置に戻す。
【００３８】
なお、表示制御部１２１は、選択肢カード１０の表示位置を変更する際、瞬時に変更後の配置で選択肢カードを表示してもよいし、元の位置から変更先の位置まで選択肢カード１０が移動する様子をアニメーション表示により表示してもよい。後者の場合、選択肢カード１０の表示位置変更の際に画面上に動きが生じるため、表示位置が変更されている選択肢カード１０やその周辺の選択肢カード１０へのユーザの注意を引き易く、また、どのように変更されたかも分かり易い。
【００３９】
検出部１２２は、第１表示装置１３０に表示された選択肢カード１０に対するユーザの操作を検出する。具体的には、検出部１２２は、ユーザにより、選択肢カード１０がタッチされたか否か、タッチが継続しているか否か、及びタッチの継続時間が所定時間を経過したか否かを検出する。検出部１２２は、選択肢カード１０がタッチされたことを検出すると、管理サーバ１１０に、タッチが検出されたことを示す操作情報を送信する。また、検出部１２２は、タッチが継続していることを検出すると、表示制御部１２１に、タッチされている選択肢カード１０を指定して、拡大表示を指示する。検出部１２２は、タッチの継続時間が所定時間を経過するまで、表示制御部１２１への拡大表示の指示を継続する。検出部１２２は、タッチの継続時間が所定時間（例えば、３秒）を経過したことを検出すると、タッチされた選択肢カード１０のカードＩＤを選択情報として、管理サーバ１１０に送信する共に、表示制御部１２１への拡大表示の終了を指示する。
【００４０】
図１２に示すように、第２制御装置１４０は、機能部として、表示制御部１４１と、受付部１４２と、作成部１４３とを含む。
【００４１】
表示制御部１４１は、管理サーバ１１０から送信された背景情報を受信すると、受信した背景情報が示す背景１２を第２表示装置１５０に表示する。また、表示制御部１４１は、管理サーバ１１０からカード情報を受信すると、受信したカード情報が示す選択肢カード１０を、背景１２上に表示する。選択肢カード１０を表示する位置はランダムに決定してもよいし、予め定めた位置に表示してもよい。
【００４２】
また、表示制御部１４１は、受付部１４２から、受付情報（詳細は後述）を通知されると、受付情報に基づいて、選択肢カード１０の表示位置、表示サイズの変更、入力されたテキストデータの表示、描画された画像の表示等を行う。
【００４３】
受付部１４２は、第２表示装置１５０に表示された選択肢カード１０の表示位置の変更、表示サイズの変更、テキストデータの入力、手書きツールを利用した描画等のユーザの操作を受け付ける。受付部１４２は、受け付けたユーザの操作の内容を示す受付情報を表示制御部１４１に通知する。
【００４４】
作成部１４３は、ユーザによりビジョンの確定が指示されると、第２表示装置１５０に表示された背景１２上での各選択肢カード１０の表示位置を取得する。そして、作成部１４３は、第２表示装置に表示されている背景１２の背景ＩＤ、選択肢カード１０のカードＩＤ、求めた各選択肢カード１０の表示位置、入力されたテキストデータ、及び描画された手書きデータを含むビジョン情報を作成する。作成部１４３は、ログイン情報や本システム利用時の登録情報などから、ビジョンを作成したユーザのユーザＩＤを取得し、作成したビジョン情報にユーザＩＤを付加して、管理サーバ１１０へ送信する。
【００４５】
管理サーバ１１０は、例えば図１３に示すコンピュータ２０で実現することができる。コンピュータ２０はＣＰＵ２１、一時記憶領域としてのメモリ２２、及び不揮発性の記憶部２３を備える。また、コンピュータ２０は、入出力装置２４と、記録媒体２９に対するデータの読み込み及び書き込みを制御するｒｅａｄ／ｗｒｉｔｅ（Ｒ／Ｗ）部２５と、インターネット等のネットワークに接続されるネットワークインターフェース（Ｉ／Ｆ）２６とを備える。ＣＰＵ２１、メモリ２２、記憶部２３、入出力装置２４、Ｒ／Ｗ部２５、及びネットワークＩ／Ｆ２６は、バス２７を介して互いに接続される。
【００４６】
記憶部２３は、ＨＤＤ（Hard Disk Drive）、ＳＳＤ（solid state drive）、フラッシュメモリ等によって実現できる。記憶媒体としての記憶部２３には、コンピュータ２０を管理サーバ１１０として機能させるための管理プログラム３０が記憶される。管理プログラム３０は、管理プロセス３１と、転送プロセス３２と、変更プロセス３３とを有する。また、記憶部２３は、カードＤＢ１１６、カード表示位置ＤＢ１１７、背景ＤＢ１１８、及びビジョンＤＢ１１９の各々を構成する情報が記憶される情報記憶領域３５を有する。
【００４７】
ＣＰＵ２１は、管理プログラム３０を記憶部２３から読み出してメモリ２２に展開し、管理プログラム３０が有するプロセスを順次実行する。ＣＰＵ２１は、管理プロセス３１を実行することで、図６に示す管理部１１１として動作する。また、ＣＰＵ２１は、転送プロセス３２を実行することで、図６に示す転送部１１２として動作する。また、ＣＰＵ２１は、変更プロセス３３を実行することで、図６に示す変更部１１３として動作する。また、ＣＰＵ２１は、情報記憶領域３５から情報を読み出して、カードＤＢ１１６、カード表示位置ＤＢ１１７、背景ＤＢ１１８、及びビジョンＤＢ１１９の各々をメモリ２２に展開する。これにより、管理プログラム３０を実行したコンピュータ２０が、管理サーバ１１０として機能することになる。
【００４８】
第１制御装置１２０は、例えば図１４に示すコンピュータ４０で実現することができる。コンピュータ４０はＣＰＵ４１、一時記憶領域としてのメモリ４２、及び不揮発性の記憶部４３を備える。また、コンピュータ４０は、記録媒体４９に対するデータの読み込み及び書き込みを制御するＲ／Ｗ部４５と、ネットワークＩ／Ｆ４６とを備える。ＣＰＵ４１、メモリ４２、記憶部４３、Ｒ／Ｗ部４５、及びネットワークＩ／Ｆ４６は、バス４７を介して互いに接続される。また、コンピュータ４０は、ネットワークＩ／Ｆ４６を介して、第１表示装置１３０と接続される。
【００４９】
記憶部４３は、ＨＤＤ、ＳＳＤ、フラッシュメモリ等によって実現できる。記憶媒体としての記憶部４３には、コンピュータ４０を第１制御装置１２０として機能させるための第１制御プログラム５０が記憶される。第１制御プログラム５０は、表示制御プロセス５１と、検出プロセス５２とを有する。
【００５０】
ＣＰＵ４１は、第１制御プログラム５０を記憶部４３から読み出してメモリ４２に展開し、第１制御プログラム５０が有するプロセスを順次実行する。ＣＰＵ４１は、表示制御プロセス５１を実行することで、図１１に示す表示制御部１２１として動作する。また、ＣＰＵ４１は、検出プロセス５２を実行することで、図１１に示す検出部１２２として動作する。これにより、第１制御プログラム５０を実行したコンピュータ４０が、第１制御装置１２０として機能することになる。
【００５１】
第２制御装置１４０は、例えば図１５に示すコンピュータ６０で実現することができる。コンピュータ６０はＣＰＵ６１、一時記憶領域としてのメモリ６２、及び不揮発性の記憶部６３を備える。また、コンピュータ６０は、記録媒体６９に対するデータの読み込み及び書き込みを制御するＲ／Ｗ部６５と、ネットワークＩ／Ｆ６６とを備える。ＣＰＵ６１、メモリ６２、記憶部６３、Ｒ／Ｗ部６５、及びネットワークＩ／Ｆ６６は、バス６７を介して互いに接続される。また、コンピュータ６０は、ネットワークＩ／Ｆ６６を介して、第２表示装置１５０と接続される。
【００５２】
記憶部６３は、ＨＤＤ、ＳＳＤ、フラッシュメモリ等によって実現できる。記憶媒体としての記憶部６３には、コンピュータ６０を第２制御装置１４０として機能させるための第２制御プログラム７０が記憶される。第２制御プログラム７０は、表示制御プロセス７１と、受付プロセス７２と、作成プロセス７３とを有する。
【００５３】
ＣＰＵ６１は、第２制御プログラム７０を記憶部６３から読み出してメモリ６２に展開し、第２制御プログラム７０が有するプロセスを順次実行する。ＣＰＵ６１は、表示制御プロセス７１を実行することで、図１２に示す表示制御部１４１として動作する。また、ＣＰＵ６１は、受付プロセス７２を実行することで、図１２に示す受付部１４２として動作する。また、ＣＰＵ６１は、作成プロセス７３を実行することで、図１２に示す作成部１４３として動作する。これにより、第２制御プログラム７０を実行したコンピュータ６０が、第２制御装置１４０として機能することになる。
【００５４】
なお、管理プログラム３０、第１制御プログラム５０、及び第２制御プログラム７０の各々により実現される機能は、例えば半導体集積回路、より詳しくはＡＳＩＣ（Application Specific Integrated Circuit）等で実現することも可能である。
【００５５】
次に、第１実施形態に係る選択肢情報の提示システム１００の作用について説明する。選択肢情報の提示システム１００により提供されるサービスの開始が指示されると、管理サーバ１１０において、図１６に示す第１管理処理、及び図１７に示す第２管理処理が実行される。また、第１制御装置１２０において、図１８に示す第１制御処理が実行される。また、第２制御装置１４０において、図２３に示す第２制御処理が実行される。以下、各処理について詳述する。
【００５６】
まず、図１６に示す第１管理処理について説明する。ステップＳ１１で、管理部１１１が、カードＤＢ１１６から各選択肢カード１０のカード情報を取得し、カード表示位置ＤＢ１１７から各選択肢カード１０のカード表示位置情報を取得する。そして、管理部１１１は、取得したカード情報及びカード表示位置情報を第１制御装置１２０へ送信する。
【００５７】
次に、ステップＳ１２で、管理部１１１が、背景ＤＢ１１８からいずれかの背景情報を取得し、第２制御装置１４０へ送信する。
【００５８】
次に、ステップＳ１３で、変更部１１３が、第１表示装置１３０に表示された選択肢カード１０に対するユーザの操作が検出されなくなってからの期間を計測するためのタイマを起動し、時間経過の計測を開始する。
【００５９】
次に、ステップＳ１４で、変更部１１３が、第１制御装置１２０から、第１表示装置１３０に表示された選択肢カード１０に対してユーザにより行われた操作を示す操作情報を受信したか否かを判定する。操作情報を受信した場合には、処理はステップＳ１５へ移行する。
【００６０】
ステップＳ１５では、転送部１１２が、上記ステップＳ１４で受信した操作情報が、第１表示装置１３０に表示された選択肢カード１０から選択された選択肢カード１０のカードＩＤを含む選択情報か否かを判定する。受信した操作情報が選択情報の場合には、処理はステップＳ１６へ移行し、転送部１１２が、受信した選択情報が示す選択肢カード１０のカード情報をカードＤＢ１１６から取得し、第２制御装置１４０へ転送し、処理はステップＳ１７へ移行する。
【００６１】
一方、上記ステップＳ１４で受信した操作情報が、選択情報ではない場合、すなわち、選択肢カード１０へのタッチが検出されたことを示す操作情報の場合、ステップＳ１６の処理はスキップされ、ステップＳ１７へ移行する。
【００６２】
ステップＳ１７では、変更部１１３が、タイマの計測をリセットする。次に、ステップＳ１８で、管理部１１１が、選択肢情報の提示システム１００により提供されるサービスの終了が指示されたか否かを判定し、終了が指示されていない場合には、処理はステップＳ１４に戻る。
【００６３】
ステップＳ１４で、変更部１１３が、操作情報を受信していないと判定した場合には、処理はステップＳ１９へ移行する。ステップＳ１９では、変更部１１３が、タイマの計測値が予め定めた所定時間（例えば、１分）を経過しているか否かを判定することにより、選択肢カード１０に対するユーザの操作が検出されなくなってから所定期間が経過したか否かを判定する。タイマの計測値が所定時間を経過していない場合には、処理はステップＳ１４に戻り、所定時間を経過している場合には、処理はステップＳ２０へ移行する。
【００６４】
ステップＳ２０では、変更部１１３が、複数の選択肢カード１０から、少なくとも１つの選択肢カード１０をランダムに決定する。そして、変更部１１３は、決定した選択肢カード１０の表示位置を、表示領域内で隣り合う選択肢カード１０の組み合わせが上下方向又は左右方向の少なくともいずれかで異なる組み合わせとなるように変更する。変更部１１３は、カード表示位置ＤＢ１１７に記憶されたカード表示位置情報のうち、表示位置を変更した選択肢カード１０のカード表示位置情報を更新する。
【００６５】
次に、ステップＳ２１で、変更部１１３が、カード表示位置ＤＢ１１７から、各選択肢カード１０のカード表示位置情報を取得する。そして、変更部１１３は、取得したカード表示位置情報を第１制御装置１２０へ送信し、処理はステップＳ１８へ移行する。
【００６６】
ステップＳ１８で、管理部１１１が、選択肢情報の提示システム１００により提供されるサービスの終了が指示されたと判定した場合には、第１管理処理は終了する。
【００６７】
次に、図１７に示す第２管理処理について説明する。ステップＳ３１で、管理部１１１が、第２制御装置１４０から送信されたビジョン情報を受信したか否かを判定する。ビジョン情報を受信していない場合には、本ステップの判定を繰り返す。ビジョン情報を受信した場合には、処理はステップＳ３２へ移行し、管理部１１１が、受信したビジョン情報にビジョンＩＤを付与して、ビジョンＤＢ１１９に記憶する。
【００６８】
次に、ステップＳ３３で、管理部１１１が、選択肢情報の提示システム１００により提供されるサービスの終了が指示されたか否かを判定し、終了が指示されていない場合には、処理はステップＳ３１に戻る。終了が指示されている場合には、第２管理処理は終了する。
【００６９】
次に、図１８に示す第１制御処理について説明する。第１制御処理は、管理サーバ１１０から送信されたカード情報及びカード表示位置情報を第１制御装置１２０が受信すると開始する。
【００７０】
ステップＳ４１で、表示制御部１２１が、受信したカード情報が示す選択肢カード１０の各々が、受信したカード表示位置情報が示す表示位置に表示されるように、第１表示装置１３０を制御する。
【００７１】
次に、ステップＳ４２で、検出部１２２が、第１表示装置１３０に表示された選択肢カード１０が、ユーザによりタッチされたか否かを判定する。図１９に、選択肢カード１０が表示された第１表示装置１３０の表示領域の一部の一例を示す。図１９に示すように、いずれかの選択肢カード１０がユーザによりタッチされたことが検出されると、処理はステップＳ４３へ移行し、検出部１２２が、管理サーバ１１０に、選択肢カード１０へのタッチが検出されたことを示す操作情報を送信する。この操作情報は、上述した第１管理処理において、選択肢カード１０に対するユーザの操作が検出されなくなってから所定期間が経過したか否かを判定するために使用される。
【００７２】
次に、ステップＳ４４で、検出部１２２が、選択肢カード１０に対するタッチが継続しているか否かを判定する。タッチが継続している場合には、処理はステップＳ４５へ移行し、検出部１２２が、表示制御部１２１に、タッチされている選択肢カード１０を指定して、拡大表示を指示する。表示制御部１２１は、この指示を受けて、例えば、図２０に示すように、指定された選択肢カード１０の表示サイズを拡大する。また、表示制御部１２１は、指定された選択肢カード１０の拡大表示に伴い、拡大表示している選択肢カード１０の周辺の選択肢カード１０の表示位置を、拡大表示している選択肢カード１０を回避する位置に移動させる。
【００７３】
次に、ステップＳ４６で、検出部１２２が、選択肢カード１０へのタッチの継続時間が所定時間（例えば、３秒）を経過したか否かを判定する。タッチの継続時間が所定時間を経過していない場合には、処理はステップＳ４４へ戻る。ステップＳ４４で、検出部１２２が、選択肢カード１０に対するタッチが継続していないと判定すると、処理はステップＳ４７へ移行する。ステップＳ４７では、検出部１２２が、表示制御部１２１に拡大表示の終了を指示する。表示制御部１２１は、この指示を受けて、拡大表示中の選択肢カード１０を元の表示サイズに戻すと共に、周辺の選択肢カード１０の表示位置も元の位置に戻す。そして、処理はステップＳ４２に戻る。
【００７４】
一方、上記ステップＳ４６で、検出部１２２が、選択肢カード１０に対するタッチの継続時間が所定時間を経過したと判定した場合には、処理はステップＳ４８へ移行する。ステップＳ４８では、検出部１２２が、タッチされた選択肢カード１０のカードＩＤを選択情報として、管理サーバ１１０に送信する。この選択情報に対応するカード情報が、上述した第１管理処理において、管理サーバ１１０の転送部１１２により、第２制御装置１４０へ転送される。
【００７５】
次に、ステップＳ４９で、表示制御部１２１が、選択肢情報の提示システム１００により提供されるサービスの終了が指示されたか否かを判定し、終了が指示されていない場合には、処理はステップＳ４２に戻る。
【００７６】
ステップＳ４２で、検出部１２２が、選択肢カード１０に対するタッチを検出していない場合には、処理はステップＳ５０へ移行する。ステップＳ５０では、表示制御部１２１が、管理サーバ１１０から、カード表示位置情報を受信したか否かを判定する。カード表示位置情報を受信している場合には、表示制御部１２１が、第１表示装置１３０に表示している選択肢カード１０の表示位置を、受信したカード表示位置情報に基づいて変更する。
【００７７】
ここで受信するカード表示位置情報は、上述の第１管理処理において、選択肢カード１０に対するユーザの操作が検出されなくなってから所定期間が経過したことに伴い変更されたカード表示位置情報である。例えば、図２１に示すように、選択肢カード１０Ａのカード表示位置情報が、選択肢カード１０Ｂの表示位置へ変更され、選択肢カード１０Ｃのカード表示位置情報が、選択肢カード１０Ｄの表示位置へ変更されているものとする。この場合、表示制御部１２１は、例えば、図２２に示すように、選択肢カード１０Ａと選択肢カード１０Ｂとを入れ替えるように表示を変更する。また、表示制御部１２１は、選択肢カード１０Ｃを選択肢カード１０Ｄの位置へ移動させると共に、選択肢カード１０Ｄ及び選択肢カード１０Ｅを、１つずつ下にずらす。
【００７８】
受信したカード表示位置情報に基づく選択肢カードの表示位置の変更が終了すると、処理はステップＳ４２に戻る。
【００７９】
上記ステップＳ４９で、表示制御部１２１が、選択肢情報の提示システム１００により提供されるサービスの終了が指示されたと判定した場合には、第１制御処理は終了する。
【００８０】
次に、図２３に示す第２制御処理について説明する。第２制御処理は、管理サーバ１１０から送信された背景情報を第２制御装置１４０が受信すると開始する。
【００８１】
ステップＳ６１で、表示制御部１４１が、受信した背景情報が示す背景１２を第２表示装置１５０に表示する。ここで表示された背景１２は、ユーザの指示により変更可能としてもよい。例えば、背景１２の変更が指示された場合、第２制御装置１４０が管理サーバ１１０へ背景情報を要求する。そして、管理サーバ１１０が、背景ＤＢ１１８から前回送信した背景情報とは異なる背景情報を、第２制御装置１４０に送信する。
【００８２】
次に、ステップＳ６２で、表示制御部１４１が、管理サーバ１１０からカード情報を受信したか否かを判定する。カード情報を受信している場合には、処理はステップＳ６３へ移行する。ここで受信するカード情報は、上述の第１管理処理において、第１表示装置１３０において選択された選択肢カード１０のカード情報が管理サーバ１１０により転送されたものである。ステップＳ６３では、表示制御部１４１が、受信したカード情報が示す選択肢カード１０を、背景１２上に表示し、処理はステップＳ６４へ移行する。一方、カード情報を受信していない場合には、ステップＳ６３の処理はスキップされ、ステップＳ６４へ移行する。
【００８３】
ステップＳ６４では、受付部１４２が、第２表示装置１５０に表示された選択肢カード１０の表示位置の変更、表示サイズの変更、テキストデータの入力、手書きツールを利用した描画等のユーザの操作を受け付けたか否かを判定する。操作を受け付けた場合には、処理はステップＳ６５へ移行する。ステップＳ６５では、受付部１４２が、受け付けたユーザの操作の内容を示す受付情報を表示制御部１４１に通知する。そして、表示制御部１４１が、受付情報に基づいて、選択肢カード１０の表示位置、表示サイズの変更、入力されたテキストデータの表示、描画された画像の表示等を行い、処理はステップＳ６６へ移行する。一方、ユーザの操作を受け付けていない場合には、ステップＳ６５の処理はスキップされ、ステップＳ６６へ移行する。
【００８４】
次に、ステップＳ６６で、作成部１４３が、ユーザによりビジョンの確定が指示されたか否かを判定する。ビジョンの確定が指示されると、処理はステップＳ６７へ移行する。ステップＳ６７では、作成部１４３が、第２表示装置１５０に表示された背景１２上での各選択肢カード１０の表示位置を取得する。そして、作成部１４３は、第２表示装置１５０に表示されている背景１２の背景ＩＤ、選択肢カード１０のカードＩＤ、求めた各選択肢カード１０の表示位置、入力されたテキストデータ、及び描画された手書きデータを含むビジョン情報を作成する。さらに、作成部１４３は、ログイン情報や本システム利用時の登録情報などから、ビジョンを作成したユーザのユーザＩＤを取得し、作成したビジョン情報にユーザＩＤを付加して、管理サーバ１１０へ送信し、処理はステップＳ６８へ移行する。一方、ビジョンの確定が指示されていない場合には、ステップＳ６７の処理はスキップされ、ステップＳ６８へ移行する。
【００８５】
ステップＳ６８では、受付部１４２が、選択肢情報の提示システム１００により提供されるサービスの終了が指示されたか否かを判定する。終了が指示されていない場合には、処理はステップＳ６２に戻り、終了が指示されている場合には、第２制御処理は終了する。
【００８６】
次に、図２４のシーケンス図を参照して、各装置間での情報のやり取りについて説明する。なお、図２４のシーケンス図に含まれる各処理について、図１６に示す第１管理処理、図１７に示す第２管理処理、図１８に示す第１制御処理、及び図２３に示す第２制御処理の対応する処理と同様の符号を付与している。
【００８７】
まず、選択肢情報の提示システム１００により提供されるサービスの開始が指示されると、管理サーバ１１０が、選択肢カード１０のカード情報及びカード表示位置情報を、第１制御装置１２０へ送信する（Ｓ１１）。そして、第１制御装置１２０が、カード情報及びカード表示位置情報に基づいて、第１表示装置１３０に選択肢カード１０を表示する（Ｓ４１）。また、管理サーバ１１０が、背景情報を第２制御装置１４０へ送信する（Ｓ１２）。そして、第２制御装置１４０が、背景情報に基づいて、第２表示装置１５０に背景１２を表示する（Ｓ６１）。
【００８８】
第１表示装置１３０に表示された選択肢カード１０に対してユーザによる操作が行われる都度、第１制御装置１２０が、操作情報を管理サーバ１１０へ送信する（Ｓ４３）。また、ユーザにより、いずれかの選択肢カード１０が選択された場合には、第１制御装置１２０が、選択された選択肢カード１０のカードＩＤを含む選択情報を管理サーバ１１０へ送信する（Ｓ４８）。
【００８９】
管理サーバ１１０は、選択情報を受信すると、その選択情報が示すカードＩＤに対応するカード情報を、第２制御装置１４０へ転送する（Ｓ１６）。そして、第２制御装置１４０が、カード情報に基づいて、第２表示装置１５０に選択肢カード１０を表示する（Ｓ６３）。
【００９０】
また、管理サーバ１１０は、操作情報の受信状況に基づいて、カード表示位置情報を変更し、第１制御装置１２０へ送信する（Ｓ２１）。第１制御装置１２０は、カード表示位置情報に基づいて、第１表示装置１３０に表示している選択肢カード１０の表示位置を変更する（Ｓ５１）。
【００９１】
第２表示装置１５０において、ユーザがビジョンの確定を指示すると、第２制御装置１４０が、第２表示装置１５０に表示されている背景１２及び選択肢カード１０に基づいてビジョン情報を作成し、管理サーバ１１０へ送信する（Ｓ６７）。なお、ユーザにより作成されたビジョンは、プリンタ１７０でプリントアウトすることができる。
【００９２】
以上説明したように、第１実施形態に係る選択肢情報の提示システム１００によれば、第１表示装置１３０に表示される選択肢カード１０の表示位置が、ユーザによる操作が検出されなくなってから所定期間経過したタイミングで、変更される。これにより、ユーザが存在に気づいていなかった選択肢カードの存在に気付く可能性が高まり、ユーザが様々な選択肢を検討するきっかけを与えることができる。
【００９３】
＜第２実施形態＞
次に、第２実施形態について説明する。なお、第２実施形態に係る選択肢情報の提示システムにおいて、第１実施形態に係る選択肢情報の提示システム１００と同様の部分には、同一符号を付して、詳細な説明を省略する。
【００９４】
図１に示すように、第２実施形態に係る選択肢情報の提示システム２００は、管理サーバ２１０と、第１制御装置２２０と、第１表示装置１３０と、第２制御装置１４０と、第２表示装置１５０と、スキャナ１６０と、プリンタ１７０とを含む。
【００９５】
図６に示すように、管理サーバ２１０は、機能部として、管理部１１１と、転送部１１２と、変更部１１３とを含む。また、管理サーバ２１０の所定の記憶領域には、カードＤＢ１１６と、カード表示位置ＤＢ２１７と、背景ＤＢ１１８と、ビジョンＤＢ１１９とが記憶される。
【００９６】
第１実施形態では、予め定めた位置に表示した選択肢カード１０の表示位置を、所定のタイミングで変更するが、第２実施形態では、図２５の上図に示すように、複数の選択肢カード１０を全体として右方向、左方向、上方向、又は下方向（図２５の例では、右方向）に移動させる。そして、所定のタイミングで、少なくとも１つの選択肢カード１０（図２５の例では、１０Ｆ）を、全体の移動方向とは逆方向又は交差する方向（図２５の例では、逆方向）へ移動させる。この移動に伴い、選択肢カード１０Ｆの周辺の選択肢カード１０を、図２５の下図に示すように、選択肢カード１０Ｆを回避するように移動させる。
【００９７】
上記のような選択肢カード１０の移動を実現するために、カード表示位置ＤＢ２１７には、各選択肢カード１０の移動に関する情報が記憶される。図２６に、カード表示位置ＤＢ２１７の一例を示す。図２６の例では、カード表示位置情報として、各選択肢カード１０の「カードＩＤ」に対応付けて、第１実施形態におけるカード表示位置ＤＢ１１７の表示位置と同様の情報が、「初期表示位置」として記憶される。さらに、カード表示位置情報として、カードＩＤに対応付けて、各選択肢カード１０をどのように移動させるかを示す「移動情報」が記憶される。移動情報は、例えば、「１サイクル毎に所定方向（例えば、ｘ軸のプラス方向）へ、所定画素数分（例えば、１画素分）移動させる」のような、移動方向及び移動速度を含む情報とすることができる。
【００９８】
変更部２１３は、第１実施形態における変更部１１３と同様に、操作情報の受信状況に基づいて、選択肢カード１０に対するユーザの操作が検出されなくなってから所定期間が経過したか否かを判定する。変更部２１３は、選択肢カード１０に対するユーザの操作が検出されなくなってから所定期間が経過したタイミングで、少なくとも１つの選択肢カード１０の移動方向を変更する。具体的には、変更部２１３は、例えばランダムに決定した少なくとも１つの選択肢カード１０について、カード表示位置ＤＢ２１７の「移動情報」を更新する。例えば、選択肢カード１０全体を、１サイクル毎にｘ軸のプラス方向へ１画素分移動させている場合において、少なくとも１つの選択肢カード１０の移動方向をｘ軸マイナス方向に変更する。
【００９９】
また、選択肢カード１０全体の移動方向がｘ軸プラス方向であるのに対して、少なくとも１つの選択肢カード１０の移動方向を、ｙ軸プラス方向又はｙ軸マイナス方向に変更してもよい。また、選択肢カード１０全体の移動方向をｙ軸プラス方向又はｙ軸マイナス方向とし、少なくとも１つの選択肢カード１０の移動方向を、全体の移動方向とは逆方向、又はｘ軸プラス方向若しくはｘ軸マイナス方向に変更してもよい。また、移動方向だけでなく移動速度を変更してもよい。移動速度の変更は、少なくとも１つの選択肢カード１０の変更後の移動速度を「０」とすることを含む。この場合、選択肢カード１０全体が川のように流れる中で、少なくとも１つの選択肢カード１０が停止した状態となる。
【０１００】
上記のように、少なくとも１つの選択肢カード１０の移動情報を変更することで、少なくとも１つの選択肢カード１０の表示位置が、表示領域内で隣り合う選択肢カード１０の組合せが上下方向又は左右方向で異なる組合せとなるように変更される。なお、移動情報を変更する選択肢カード１０が複数の場合には、変更後の移動方向及び移動速度はそれぞれ異なっていてもよい。
【０１０１】
図１１に示すように、第１制御装置２２０は、機能部として、表示制御部２２１と、検出部１２２とを含む。
【０１０２】
表示制御部２２１は、管理サーバ２１０から送信されたカード情報及びカード表示位置情報を受信し、カード情報が示す選択肢カード１０の各々が、カード表示位置情報の「初期表示位置」が示す表示位置に表示されるように、第１表示装置１３０を制御する。また、表示制御部２２１は、カード表示位置情報の「移動情報」に基づいて、各選択肢カード１０を移動させる。
【０１０３】
また、表示制御部２２１は、管理サーバ２１０から、変更されたカード表示位置情報を受信した場合には、受信したカード表示位置情報に基づいて、少なくとも１つの選択肢カード１０の移動方向及び移動速度の少なくとも一方を変更する。また、表示制御部２２１は、少なくとも１つの選択肢カード１０の移動方向及び移動速度の変更に伴い、周辺の選択肢カード１０を、移動方向及び移動速度の少なくとも一方が変更された選択肢カード１０を回避するように移動させる。周辺の選択肢カード１０の回避を伴う移動には、従来既知の画像の最適配置技術等を利用することができる。
【０１０４】
また、表示制御部２２１は、第１実施形態における表示制御部１２１と同様に、検出部１２２から、選択肢カード１０の拡大表示が指示された場合に、指定された選択肢カード１０の表示サイズを拡大する。この際、表示制御部２２１は、選択肢カード１０がタッチされた位置で移動を停止させ、停止させた位置で拡大表示を行うようにする。また、表示制御部２２１は、拡大表示に伴い、周辺の選択肢カード１０を、拡大表示している選択肢カード１０を回避するように移動させる。
【０１０５】
管理サーバ２１０は、例えば図１３に示すコンピュータ２０で実現することができる。コンピュータ２０の記憶部２３には、コンピュータ２０を管理サーバ２１０として機能させるための管理プログラム３０Ａが記憶される。管理プログラム３０Ａは、管理プロセス３１と、転送プロセス３２と、変更プロセス３３Ａとを有する。ＣＰＵ２１は、管理プログラム３０Ａを記憶部２３から読み出してメモリ２２に展開し、管理プログラム３０Ａが有するプロセスを順次実行する。ＣＰＵ２１は、変更プロセス３３Ａを実行することで、図６に示す変更部２１３として動作する。他のプロセスについては、第１実施形態に係る管理プログラム３０と同様である。これにより、管理プログラム３０Ａを実行したコンピュータ２０が、管理サーバ２１０として機能することになる。
【０１０６】
第１制御装置２２０は、例えば図１４に示すコンピュータ４０で実現することができる。コンピュータ４０の記憶部４３には、コンピュータ４０を第１制御装置２２０として機能させるための第１制御プログラム５０Ａが記憶される。第１制御プログラム５０Ａは、表示制御プロセス５１Ａと、検出プロセス５２とを有する。ＣＰＵ４１は、第１制御プログラム５０Ａを記憶部４３から読み出してメモリ４２に展開し、第１制御プログラム５０Ａが有するプロセスを順次実行する。ＣＰＵ４１は、表示制御プロセス５１Ａを実行することで、図１１に示す表示制御部２２１として動作する。他のプロセスについては、第１実施形態に係る第１制御プログラム５０と同様である。これにより、第１制御プログラム５０Ａを実行したコンピュータ４０が、第１制御装置２２０として機能することになる。
【０１０７】
第２制御装置１４０は、第１実施形態と同様に、例えば図１５に示すコンピュータ６０で実現することができる。
【０１０８】
なお、管理プログラム３０Ａ、及び第１制御プログラム５０Ａの各々により実現される機能は、例えば半導体集積回路、より詳しくはＡＳＩＣ等で実現することも可能である。
【０１０９】
第２実施形態に係る選択肢情報の提示システム２００の作用について、第１実施形態に係る選択肢情報の提示システム１００の作用と異なる点ついて説明する。
【０１１０】
図１６に示す第１管理処理のステップＳ２０において、管理サーバ２１０の変更部２１３が、少なくとも１つの選択肢カード１０について、カード表示位置ＤＢ２１７の「移動情報」を更新する。
【０１１１】
また、図１８に示す第１制御処理のステップＳ４１において、第１制御装置２２０の表示制御部２２１が、カード情報が示す選択肢カード１０の各々が、カード表示位置情報の「初期表示位置」が示す表示位置に表示されるように、第１表示装置１３０を制御する。また、表示制御部２２１が、カード表示位置情報の「移動情報」に基づいて、各選択肢カード１０を移動させる。
【０１１２】
また、ステップＳ５１において、表示制御部２２１が、受信したカード表示位置情報に基づいて、少なくとも１つの選択肢カード１０の移動方向及び移動速度の少なくとも一方を変更する。また、表示制御部２２１は、少なくとも１つの選択肢カード１０の移動方向及び移動速度の変更に伴い、周辺の選択肢カード１０を、移動方向及び移動速度の少なくとも一方が変更された選択肢カード１０を回避するように移動させる。
【０１１３】
以上説明したように、第２実施形態に係る選択肢情報の提示システム２００によれば、第１表示装置１３０に表示した選択肢カード１０全体を左右方向又は上下方向に移動させつつ、少なくとも１つの選択肢カード１０の移動方向を変更したり停止したりする。これにより、第１実施形態と同様に、ユーザが存在に気づいていなかった選択肢カードの存在に気付く可能性が高まり、ユーザが様々な選択肢を検討するきっかけを与えることができる。また、画面に動きが出ることにより、よりユーザの注意を引き易くなる。
【０１１４】
なお、第１及び第２実施形態では、表示位置又は移動情報を変更する少なくとも１つの選択肢カード１０をランダムに決定する場合について説明したが、これに限定されない。例えば、図１０に示すようなビジョンＤＢ１１９を参照して、記憶された各ユーザにより選択された、即ち、各ユーザＩＤと対応づけて記憶されている選択肢カード１０毎の出現頻度を集計する。そして、出現頻度の高い選択肢カード１０又は出現頻度の低い選択肢カード１０を、表示位置又は移動情報を変更する少なくとも１つの選択肢カード１０として決定してもよい。出現頻度の高い選択肢カードの表示位置又は移動情報を変更した場合には、注目度の高い選択肢カード１０の見落としを低減することができる。一方、出現頻度の低い選択肢カードの表示位置又は移動情報を変更した場合には、見逃し易い選択肢カード１０にも注目するきっかけを与えることができる。
【０１１５】
また、ビジョンを作成するユーザの属性に応じて予め定めた選択肢カード１０を、表示位置又は移動情報を変更する少なくとも１つの選択肢カード１０として決定してもよい。ユーザの属性とは、ユーザが企業の場合には、例えば、業種、従業員数、営業所数等であり、ユーザが個人の場合には、性別、年齢、居住地等である。これにより、ユーザが意識することなく、ユーザに適した選択肢カード１０の存在を気付かせることができる。
【０１１６】
また、サービスの提供者側が、表示位置を変更する少なくとも１つの選択肢カード１０を任意に決定してもよい。この場合、カード表示位置ＤＢ１１７において、任意の選択肢カード１０に対応するカード表示位置情報にフラグを設定しておけばよい。これにより、サービスの提供者の意図を反映した選択肢カード１０の存在に、ユーザが注意を向ける可能性が高まる。
【０１１７】
さらに、第２実施形態の場合は、選択肢カード１０全体を左右方向又は上下方向に移動しているなかで、所定の位置に到達した選択肢カード１０を、表示位置又は移動情報を変更する少なくとも１つの選択肢カード１０として決定してもよい。
【０１１８】
＜第３実施形態＞
次に、第３実施形態について説明する。なお、第３実施形態に係る選択肢情報の提示システムにおいて、第１実施形態に係る選択肢情報の提示システム１００と同様の部分には、同一符号を付して、詳細な説明を省略する。
【０１１９】
図１に示すように、第３実施形態に係る選択肢情報の提示システム３００は、管理サーバ３１０と、第１制御装置３２０と、第１表示装置１３０と、第２制御装置１４０と、第２表示装置１５０と、スキャナ１６０と、プリンタ１７０とを含む。
【０１２０】
図６に示すように、管理サーバ３１０は、機能部として、管理部１１１と、転送部１１２と、変更部３１３とを含む。また、管理サーバ３１０の所定の記憶領域には、カードＤＢ３１６と、カード表示位置ＤＢ１１７と、背景ＤＢ１１８と、ビジョンＤＢ１１９とが記憶される。
【０１２１】
第３実施形態では、選択肢カード１０のカテゴリ毎の属性に基づいて表示位置を変更する。カテゴリとしては、例えば、デバイスの種別を表すカテゴリ、働き方の種別を表すカテゴリ等、複数のカテゴリを用いることができる。また、例えば、デバイスの種別を表すカテゴリの属性としては、タブレット、スマートフォン、ＩｏＴ（Internet of Things）等を設定することができる。また、例えば、働き方の種別を表すカテゴリの属性としては、オフィス、工場、Ｒ＆Ｄ、在宅等を設定することができる。
【０１２２】
カードＤＢ３１６には、第１実施形態におけるカードＤＢ１１６に記憶されるカード情報の各項目に加え、各選択肢カード１０に付与された複数のカテゴリの各々に関する属性が記憶される。図２７に、カードＤＢ３１６の一例を示す。図２７の例では、「カテゴリ」として、「カテゴリＡ」、「カテゴリＢ」、・・・が設けられ、各選択肢カード１０のカード情報毎に、各カテゴリの属性が対応付けられている。
【０１２３】
変更部３１３は、第１実施形態における変更部１１３と同様に、操作情報の受信状況に基づいて、選択肢カード１０に対するユーザの操作が検出されなくなってから所定期間が経過したか否かを判定する。変更部３１３は、選択肢カード１０に対するユーザの操作が検出されなくなってから所定期間が経過したタイミングで、複数のカテゴリから、いずれかのカテゴリを決定する。そして、変更部３１３は、決定したカテゴリに関して同一の属性が付与されている選択肢カード１０同士が、上下方向又は左右方向に表示されるように、カード表示位置ＤＢ１１７における各選択肢カード１０の「表示位置」を変更する。
【０１２４】
第１制御装置１２０の表示制御部１２１では、上記のようにカテゴリに応じて変更されたカード表示位置情報に基づいて、選択肢カード１０の表示位置を変更する。例えば、図２８の上図に示すように、カテゴリＡに関して同一の属性が付与されている選択肢カード１０同士が、上下方向又は左右方向に隣り合わせて表示されているとする。すなわち、カテゴリＡの属性毎に選択肢カード１０がグルーピングされているとする。なお、図２８において、選択肢カード内１０の表示は、その選択肢カード１０に付与されているカテゴリ毎の属性を表す。例えば、「Ａ−ａ  Ｂ−ｃ」の表記は、選択肢カード１０に、カテゴリＡについては属性ａが付与され、カテゴリＢについては属性ｃが付与されていることを表す。また、後段の処理の説明のため、図２８では、カテゴリＢに関する属性の相違により、選択肢カード１０の線種及び網掛けを異ならせている。
【０１２５】
この状態から、所定のタイミングで、変更部３１３により、カテゴリＢの属性を用いて表示位置を変更することが決定されると、図２８の下図に示すように、カテゴリＢの属性毎に選択肢カード１０がグルーピングされた表示位置に変更される。このように、決定されるカテゴリが変更されることにより、少なくとも１つの選択肢カード１０の表示位置が、表示領域内で隣り合う選択肢カード１０の組合せが上下方向又は左右方向で異なる組合せとなるように変更される。例えば、各選択肢カード１０が、デバイスの種別を表すカテゴリに関する属性に基づいてグルーピングされた表示位置から、働き方の種別を表すカテゴリに関する属性に基づいてグルーピングされた表示位置へ変更される。
【０１２６】
管理サーバ３１０は、例えば図１３に示すコンピュータ２０で実現することができる。コンピュータ２０の記憶部２３には、コンピュータ２０を管理サーバ３１０として機能させるための管理プログラム３０Ｂが記憶される。管理プログラム３０Ｂは、管理プロセス３１と、転送プロセス３２と、変更プロセス３３Ｂとを有する。ＣＰＵ２１は、管理プログラム３０Ｂを記憶部２３から読み出してメモリ２２に展開し、管理プログラム３０Ｂが有するプロセスを順次実行する。ＣＰＵ２１は、変更プロセス３３Ｂを実行することで、図６に示す変更部３１３として動作する。他のプロセスについては、第１実施形態に係る管理プログラム３０と同様である。これにより、管理プログラム３０Ｂを実行したコンピュータ２０が、管理サーバ３１０として機能することになる。
【０１２７】
第１制御装置１２０は、第１実施形態と同様に、例えば図１４に示すコンピュータ４０で実現することができる。また、第２制御装置１４０は、第１実施形態と同様に、例えば図１５に示すコンピュータ６０で実現することができる。
【０１２８】
なお、管理プログラム３０Ｂにより実現される機能は、例えば半導体集積回路、より詳しくはＡＳＩＣ等で実現することも可能である。
【０１２９】
第２実施形態に係る選択肢情報の提示システム３００の作用について、第１実施形態に係る選択肢情報の提示システム１００の作用と異なる点ついて説明する。
【０１３０】
図１６に示す第１管理処理のステップＳ２０において、管理サーバ３１０の変更部３１３が、複数のカテゴリから、いずれかのカテゴリを決定する。そして、変更部３１３は、決定したカテゴリに関して同一の属性が付与されている選択肢カード１０同士が、上下方向又は左右方向に隣り合わせて表示されるように、カード表示位置ＤＢ１１７における各選択肢カード１０の「表示位置」を変更する。
【０１３１】
以上説明したように、第３実施形態に係る選択肢情報の提示システム３００によれば、選択肢カード１０の各々に、複数のカテゴリの各々に関する属性が付与されている。そして、あるカテゴリに関して同一の属性が付与されている選択肢カード１０同士をグルーピングして表示する。次に、異なるカテゴリに関して同一の属性が付与されている選択肢カード１０同士をグルーピングして表示するように変更する。このように、所定のタイミング毎に、異なる観点で選択肢カード１０のグルーピングが変更されることにより、ユーザが存在に気づいていなかった選択肢カードの存在に気付く可能性が高まり、ユーザが様々な選択肢を検討するきっかけを与えることができる。
【０１３２】
なお、上記各実施形態では、選択肢カード１０に対するユーザの操作が検出されなくなってから所定期間経過したタイミングで、少なくとも１つの選択肢カード１０の表示位置又は移動情報を変更する場合について説明したが、これに限定されない。表示位置又は移動情報を変更するタイミングは、選択肢カード１０に対するユーザの操作が検出されていない期間の所定のタイミングであればよい。例えば、選択肢カード１０に対するユーザの操作が検出されていない期間において、周期的なタイミング（例えば、３０秒毎）で変更してもよいし、その期間において、ランダムなタイミングで変更してもよい。
【０１３３】
また、上記各実施形態において、第２表示装置を複数設けてもよい。この場合、第２表示装置の各々に異なる背景を表示する。そして、第１表示装置から選択された選択肢カードを第２表示装置に転送する際に、いずれの第２表示装置に転送するかを選択したうえで転送する。これにより、例えば、現在の状況用のビジョンと将来の希望用のビジョン等のように、それぞれ異なるビジョンを異なる第２表示装置に表示させることができる。
【０１３４】
また、上記各実施形態において、第１表示装置を複数設けて、複数の第１表示装置を連携して、１つの大型ディスプレイとして機能させてもよい。この場合、より多くの選択肢カードを表示することができる。
【０１３５】
また、上記各実施形態において、手書きのメモなどをスキャナ１６０で読み取り、選択肢カード１０と同様の電子的なカード形式として、第２表示装置１５０に表示してもよい。これにより、選択肢カード１０で表された選択肢にはない情報をビジョンに反映させることができる。
【０１３６】
また、上記各実施形態では、第１表示装置１３０の表示制御を第１制御装置１２０が行い、第２表示装置１５０の表示制御を第２制御装置１４０が行う場合について説明したが、これに限定されない。例えば、管理サーバ１１０が、第１表示装置１３０及び第２表示装置１５０の表示制御を行ってもよい。この場合、第１制御装置１２０の各機能部、及び第２制御装置１４０の各機能部を、管理サーバ１１０に持たせればよい。
【０１３７】
また、上記各実施形態では、管理プログラム３０、３０Ａ、３０Ｂ、第１制御プログラム５０、５０Ａ、第２制御プログラム７０が記憶部２３、４３、６３に予め記憶（インストール）されている態様を説明したが、これに限定されない。本発明に係るプログラム、及びユーザ端末側プログラムは、ＣＤ−ＲＯＭ、ＤＶＤ−ＲＯＭ、ＵＳＢメモリ等の記録媒体に記録された形態で提供することも可能である。
【０１３８】
以上の各実施形態に関し、更に以下の付記を開示する。
【０１３９】
（付記１）
第一の表示装置と、第二の表示装置とを含む選択肢情報の提示システムにおいて、
前記第一の表示装置に、選択操作を受け付け可能な状態の複数の選択肢情報を表示させるとともに、選択操作が検出されていない期間の所定のタイミングで、表示対象となっている少なくとも１以上の選択肢情報の表示位置を、表示領域内で隣り合う選択肢情報の組み合わせが上下方向または左右方向の少なくともいずれかで異なる組み合わせとなるように変更させて表示させ、
前記第一の表示装置で表示された前記複数の選択肢情報のいずれかに対する選択操作を受け付けると、選択操作を受け付けた該選択肢情報を、前記第二の表示装置に表示させる
選択肢情報の提示システム。
【０１４０】
（付記２）
前記複数の選択肢情報の各々を、前記表示領域内で上下方向または左右方向に移動させつつ、前記所定のタイミングで、前記少なくとも１以上の選択肢情報について、移動している方向の逆方向または交差する方向へ移動させる付記１記載の選択肢情報の提示システム。
【０１４１】
（付記３）
前記複数の選択肢情報の各々を、前記表示領域内で上下方向または左右方向に移動させつつ、前記所定のタイミングで、前記少なくとも１以上の選択肢情報について、前記上下方向または左右方向への移動を停止させる付記１記載の選択肢情報の提示システム。
【０１４２】
（付記４）
前記複数の選択肢情報のうち、表示位置が所定の位置となった選択肢情報を、前記少なくとも１以上の選択肢情報とする付記２または付記３記載の選択肢情報の提示システム。
【０１４３】
（付記５）
前記複数の選択肢情報のうち、過去に選択操作により選択された履歴、選択操作を行うユーザの属性、及び該選択肢情報の属性の少なくとも１つに基づいて決定された選択肢情報、またはランダムに決定された選択肢情報を、前記少なくとも１以上の選択肢情報とする付記１〜付記４のいずれか１項記載の選択肢情報の提示システム。
【０１４４】
（付記６）
前記選択肢情報には、複数のカテゴリの各々に関する属性が付与されており、
前記所定のタイミング毎に、前記複数のカテゴリから決定されたいずれかのカテゴリに関して同一の属性が付与されている選択肢情報同士が、上下方向または左右方向に隣り合わせて表示されるように、前記少なくとも１以上の選択肢情報の表示位置を変更する
付記１〜付記５のいずれか１項記載の選択肢情報の提示システム。
【０１４５】
（付記７）
前記所定のタイミングは、選択操作が検出されなくなってから所定時間経過したタイミング、前記選択操作が検出されていない期間での周期的なタイミング、または前記選択操作が検出されていない期間でのランダムなタイミングである付記１〜付記６のいずれか１項記載の選択肢情報の提示システム。
【０１４６】
（付記８）
前記選択肢情報の表示位置を変更する際には、元の表示位置から新たな表示位置へ、カードが移動するアニメーション表示を行う付記１〜付記７のいずれか１項記載の選択肢情報の提示システム。
【０１４７】
（付記９）
第一の表示装置と、第二の表示装置と、制御装置とを含む選択肢情報の提示システムにおける選択肢情報の提示方法であって、
前記制御装置が、
前記第一の表示装置に、選択操作を受け付け可能な状態の複数の選択肢情報を表示させるとともに、選択操作が検出されていない期間の所定のタイミングで、表示対象となっている少なくとも１以上の選択肢情報の表示位置を、表示領域内で隣り合う選択肢情報の組み合わせが上下方向または左右方向の少なくともいずれかで異なる組み合わせとなるように変更させて表示させ、
前記第一の表示装置で表示された前記複数の選択肢情報のいずれかに対する選択操作を受け付けると、選択操作を受け付けた該選択肢情報を、前記第二の表示装置に表示させる
ことを含む処理を実行する選択肢情報の提示方法。
【０１４８】
（付記１０）
前記複数の選択肢情報の各々を、前記表示領域内で上下方向または左右方向に移動させつつ、前記所定のタイミングで、前記少なくとも１以上の選択肢情報について、移動している方向の逆方向または交差する方向へ移動させる付記９記載の選択肢情報の提示方法。
【０１４９】
（付記１１）
前記複数の選択肢情報の各々を、前記表示領域内で上下方向または左右方向に移動させつつ、前記所定のタイミングで、前記少なくとも１以上の選択肢情報について、前記上下方向または左右方向への移動を停止させる付記９記載の選択肢情報の提示方法。
【０１５０】
（付記１２）
前記複数の選択肢情報のうち、表示位置が所定の位置となった選択肢情報を、前記少なくとも１以上の選択肢情報とする付記１０または付記１１記載の選択肢情報の提示方法。
【０１５１】
（付記１３）
前記複数の選択肢情報のうち、過去に選択操作により選択された履歴、選択操作を行うユーザの属性、及び該選択肢情報の属性の少なくとも１つに基づいて決定された選択肢情報、またはランダムに決定された選択肢情報を、前記少なくとも１以上の選択肢情報とする付記９〜付記１２のいずれか１項記載の選択肢情報の提示方法。
【０１５２】
（付記１４）
前記選択肢情報には、複数のカテゴリの各々に関する属性が付与されており、
前記所定のタイミング毎に、前記複数のカテゴリから決定されたいずれかのカテゴリに関して同一の属性が付与されている選択肢情報同士が、上下方向または左右方向に隣り合わせて表示されるように、前記少なくとも１以上の選択肢情報の表示位置を変更する
付記９〜付記１３のいずれか１項記載の選択肢情報の提示方法。
【０１５３】
（付記１５）
前記所定のタイミングは、選択操作が検出されなくなってから所定時間経過したタイミング、前記選択操作が検出されていない期間での周期的なタイミング、または前記選択操作が検出されていない期間でのランダムなタイミングである付記９〜付記１４のいずれか１項記載の選択肢情報の提示方法。
【０１５４】
（付記１６）
前記選択肢情報の表示位置を変更する際には、元の表示位置から新たな表示位置へ、カードが移動するアニメーション表示を行う付記９〜付記１５のいずれか１項記載の選択肢情報の提示方法。
【０１５５】
（付記１７）
第一の表示装置と、第二の表示装置と、制御装置とを含む選択肢情報の提示システムにおける選択肢情報の提示プログラムであって、
前記制御装置が、
前記第一の表示装置に、選択操作を受け付け可能な状態の複数の選択肢情報を表示させるとともに、選択操作が検出されていない期間の所定のタイミングで、表示対象となっている少なくとも１以上の選択肢情報の表示位置を、表示領域内で隣り合う選択肢情報の組み合わせが上下方向または左右方向の少なくともいずれかで異なる組み合わせとなるように変更させて表示させ、
前記第一の表示装置で表示された前記複数の選択肢情報のいずれかに対する選択操作を受け付けると、選択操作を受け付けた該選択肢情報を、前記第二の表示装置に表示させる
ことを含む処理を実行する選択肢情報の提示プログラム。
【０１５６】
（付記１８）
前記複数の選択肢情報の各々を、前記表示領域内で上下方向または左右方向に移動させつつ、前記所定のタイミングで、前記少なくとも１以上の選択肢情報について、移動している方向の逆方向または交差する方向へ移動させる付記１７記載の選択肢情報の提示プログラム。
【０１５７】
（付記１９）
前記複数の選択肢情報の各々を、前記表示領域内で上下方向または左右方向に移動させつつ、前記所定のタイミングで、前記少なくとも１以上の選択肢情報について、前記上下方向または左右方向への移動を停止させる付記１７記載の選択肢情報の提示プログラム。
【０１５８】
（付記２０）
前記複数の選択肢情報のうち、表示位置が所定の位置となった選択肢情報を、前記少なくとも１以上の選択肢情報とする付記１８または付記１９記載の選択肢情報の提示プログラム。
【０１５９】
（付記２１）
前記複数の選択肢情報のうち、過去に選択操作により選択された履歴、選択操作を行うユーザの属性、及び該選択肢情報の属性の少なくとも１つに基づいて決定された選択肢情報、またはランダムに決定された選択肢情報を、前記少なくとも１以上の選択肢情報とする付記１７〜付記２０のいずれか１項記載の選択肢情報の提示プログラム。
【０１６０】
（付記２２）
前記選択肢情報には、複数のカテゴリの各々に関する属性が付与されており、
前記所定のタイミング毎に、前記複数のカテゴリから決定されたいずれかのカテゴリに関して同一の属性が付与されている選択肢情報同士が、上下方向または左右方向に隣り合わせて表示されるように、前記少なくとも１以上の選択肢情報の表示位置を変更する
付記１７〜付記２１のいずれか１項記載の選択肢情報の提示プログラム。
【０１６１】
（付記２３）
前記所定のタイミングは、選択操作が検出されなくなってから所定時間経過したタイミング、前記選択操作が検出されていない期間での周期的なタイミング、または前記選択操作が検出されていない期間でのランダムなタイミングである付記１７〜付記２２のいずれか１項記載の選択肢情報の提示プログラム。
【０１６２】
（付記２４）
前記選択肢情報の表示位置を変更する際には、元の表示位置から新たな表示位置へ、カードが移動するアニメーション表示を行う付記１７〜付記２３のいずれか１項記載の選択肢情報の提示プログラム。
【０１６３】
（付記２５）
第一の表示装置と、第二の表示装置と、制御装置とを含む選択肢情報の提示システムにおける選択肢情報の提示プログラムを記憶した記憶媒体であって、
前記制御装置が、
前記第一の表示装置に、選択操作を受け付け可能な状態の複数の選択肢情報を表示させるとともに、選択操作が検出されていない期間の所定のタイミングで、表示対象となっている少なくとも１以上の選択肢情報の表示位置を、表示領域内で隣り合う選択肢情報の組み合わせが上下方向または左右方向の少なくともいずれかで異なる組み合わせとなるように変更させて表示させ、
前記第一の表示装置で表示された前記複数の選択肢情報のいずれかに対する選択操作を受け付けると、選択操作を受け付けた該選択肢情報を、前記第二の表示装置に表示させる
ことを含む処理を実行する選択肢情報の提示プログラムを記憶した記憶媒体。
【符号の説明】
【０１６４】
１０   選択肢カード
１２   背景
２０、４０、６０     コンピュータ
２１、４１、６１     ＣＰＵ
２２、４２、６２     メモリ
２３、４３、６３     記憶部
２９、４９、６９     記録媒体
３０、３０Ａ、３０Ｂ 管理プログラム
５０、５０Ａ  第１制御プログラム
７０   第２制御プログラム
１００、２００、３００      提示システム
１１０、２１０、３１０      管理サーバ
１１１ 管理部
１１２ 転送部
１１３、２１３、３１３      変更部
１１６、３１６       カードデータベース（ＤＢ）
１１７、２１７       カード表示位置ＤＢ
１１８ 背景ＤＢ
１１９ ビジョンＤＢ
１２０、２２０、３２０      第１制御装置
１２１、２２１       表示制御部
１２２ 検出部
１３０ 第１表示装置
１４０ 第２制御装置
１４１ 表示制御部
１４２ 受付部
１４３ 作成部
１５０ 第２表示装置
【図１】
0006512062.tif 000002
【図２】
0006512062.tif 000003
【図３】
0006512062.tif 000004
【図４】
0006512062.tif 000005
【図５】
0006512062.tif 000006
【図６】
0006512062.tif 000007
【図７】
0006512062.tif 000008
【図８】
0006512062.tif 000009
【図９】
0006512062.tif 000010
【図１０】
0006512062.tif 000011
【図１１】
0006512062.tif 000012
【図１２】
0006512062.tif 000013
【図１３】
0006512062.tif 000014
【図１４】
0006512062.tif 000015
【図１５】
0006512062.tif 000016
【図１６】
0006512062.tif 000017
【図１７】
0006512062.tif 000018
【図１８】
0006512062.tif 000019
【図１９】
0006512062.tif 000020
【図２０】
0006512062.tif 000021
【図２１】
0006512062.tif 000022
【図２２】
0006512062.tif 000023
【図２３】
0006512062.tif 000024
【図２４】
0006512062.tif 000025
【図２５】
0006512062.tif 000026
【図２６】
0006512062.tif 000027
【図２７】
0006512062.tif 000028
【図２８】
0006512062.tif 000029